【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
コンピュータ実行可能命令を有する少なくとも１つのコンピュータ可読記憶媒体であって、前記コンピュータ実行可能命令は、コンピュティングシステムのプロセッサにより実行される場合に、ディスプレイを迅速に初期化するための以下のステップ、即ち、
最新のディスプレイ設定をディスプレイが記憶すべきことを指示する第１のコマンドを該ディスプレイに送信するステップであって、前記第１のコマンドは第１のトークンを含み、前記第１のコマンドは、ディスプレイが取り付けられるホストコンピュータシステムであって、そこからディスプレイが第１のビデオ信号を受信しているホストコンピュータシステムにより送信され、前記第１のコマンドは、前記ホストコンピュータシステムがスリープ状態に入ろうとしていることを示すものであり、前記ディスプレイは、前記最新のディスプレイ設定に従って前記第１のビデオ信号を表示するように構成されたビデオプロセッサとレジスタ群を含むものであり、前記第１のトークンは、前記ホストコンピュータシステムによって生成される、前記第１のビデオ信号の特性を表す値である、ステップと、
前記第１のコマンドに応答して、前記ディスプレイがスリープ状態に入る前に前記第１のトークンとともに前記最新のディスプレイ設定を記憶するステップであって、前記最新のディスプレイ設定及び前記第１のトークンが記憶された後で、前記ホストコンピュータシステムおよび前記ディスプレイがスリープ状態に入るようにされている、ステップと、
前記スリープ状態からの覚醒に伴い、前記第１のビデオ信号と同じ特性を持つ第２のビデオ信号を前記ホストコンピュータシステムが送信しようとしていることを、前記ホストコンピュータシステムが検出するステップと、
前記ホストコンピュータシステムが第２のコマンドをディスプレイに送信するステップであって、前記第２のコマンドは、前記第１のビデオ信号と同じ特性を持つ第２のビデオ信号を前記ホストコンピュータが送信しようとしていることを前記ディスプレイに対して示す前記第１のトークンのコピーを含む、ステップと、
前記第２のコマンドの受信に伴い、前記ディスプレイが後続の覚醒状態にあるときに前記第１のトークンの前記コピーが前記記憶されている第１のトークンと同一のものか確認し、前記記憶されているディスプレイ設定を用いて前記ディスプレイが前記第２のビデオ信号を適正に表示し得ることを示す、ステップと、
前記記憶されているディスプレイ設定を実際のディスプレイ設定として復元するステップであって、該復元は、前記ディスプレイが完全な検出及び訂正ルーチンを実行することなしに前記記憶されているディスプレイ設定を用いて前記第２のビデオ信号の表示を開始し得るように、前記ビデオプロセッサと前記レジスタを、前記ディスプレイが前記後続の覚醒状態にあるときに、前記記憶されているディスプレイ設定に従って構成することによりなされる、ステップと、
を含むステップを実行する、コンピュータ可読記憶媒体。
【請求項２】
請求項１に記載のコンピュータ可読記憶媒体において、前記ディスプレイ設定を記憶するステップは、該ディスプレイ設定のうちの少なくとも幾つかを前記ディスプレイのメモリ内に保持するステップを含む、コンピュータ可読記憶媒体。
【請求項３】
請求項１に記載のコンピュータ可読記憶媒体において、前記ディスプレイ設定を記憶するステップは、該ディスプレイ設定のうちの少なくとも幾つかを前記ホストコンピュータシステムのメモリ内に保持するステップを含む、コンピュータ可読記憶媒体。
【請求項４】
請求項１に記載のコンピュータ可読記憶媒体において、前記第１のトークンは、ハッシュとして記憶され、前記第１のトークンの前記コピーは、それが前記第１のトークンの前記ハッシュに相当する場合には、前記第１のトークンと同一である、コンピュータ可読記憶媒体。
【請求項５】
請求項１に記載のコンピュータ可読記憶媒体において、複数のディスプレイ設定のセットが記憶され、前記第１のトークンのコピーに基づいて、前記複数のセットの中から前記ディスプレイ設定の対応するセットを発見するステップを含むさらなるコンピュータ実行可能命令を有する、コンピュータ可読記憶媒体。
【請求項６】
請求項１に記載のコンピュータ可読記憶媒体において、前記ホストコンピュータシステムは、前記第２のコマンドが受信されたという受取通知（acknowledgement）を前記ディスプレイが返すまでは、前記第２のコマンドを繰り返し送信する、コンピュータ可読記憶媒体。
【請求項７】
請求項１に記載のコンピュータ可読記憶媒体であって、前記記憶されているディスプレイ設定が前記実際のディスプレイ設定として首尾よく復元されたことを示す情報を、前記ディスプレイから前記ホストコンピュータシステムに通信するステップを含むさらなるコンピュータ実行可能命令を有する、コンピュータ可読記憶媒体。
【請求項８】
請求項１に記載のコンピュータ可読記憶媒体において、前記ディスプレイは、複数の入力のうちの１つの入力においてビデオ信号を検出すると覚醒し、前記コンピュータ可読記憶媒体は、前記複数の入力のうちのどの入力が前記ホストコンピュータからビデオ信号を最後に受信したかということに関する入力情報を前記ディスプレイにおいて記憶するステップと、前記入力情報を使用するステップであって、前記最後の入力において別の入力よりも頻繁にビデオ信号に対して検出を行うステップと、を含むさらなる実行可能命令を有する、コンピュータ可読記憶媒体。
【請求項９】
少なくとも１つのコンピュータシステム及び少なくとも１つのディスプレイを有する環境におけるディスプレイを迅速に初期化するための方法であって、該方法は、
最新のディスプレイ設定をディスプレイが記憶すべきことを指示する第１のコマンドを該ディスプレイに送信するステップであって、前記第１のコマンドは第１のトークンを含み、前記第１のコマンドは、ディスプレイが取り付けられるホストコンピュータシステムであって、そこからディスプレイが第１のビデオ信号を受信しているホストコンピュータシステムにより送信され、前記第１のコマンドは、前記ホストコンピュータシステムがスリープ状態に入ろうとしていることを示すものであり、前記ディスプレイは、前記最新のディスプレイ設定に従って前記第１のビデオ信号を表示するように構成されたビデオプロセッサとレジスタ群を含むものであり、前記第１のトークンは、前記ホストコンピュータシステムによって生成される、前記第１のビデオ信号の特性を表す値である、ステップと、
前記第１のコマンドに応答して、前記ディスプレイがスリープ状態に入る前に前記第１のトークンとともに前記最新のディスプレイ設定を記憶するステップであって、前記最新のディスプレイ設定及び前記第１のトークンが記憶された後で、前記ホストコンピュータシステムおよび前記ディスプレイがスリープ状態に入るようにされている、ステップと、
前記スリープ状態からの覚醒に伴い、前記第１のビデオ信号と同じ特性を持つ第２のビデオ信号を前記ホストコンピュータシステムが送信しようとしていることを、前記ホストコンピュータシステムが検出するステップと、
前記ホストコンピュータシステムが第２のコマンドをディスプレイに送信するステップであって、前記第２のコマンドは、前記第１のビデオ信号と同じ特性を持つ第２のビデオ信号を前記ホストコンピュータが送信しようとしていることを前記ディスプレイに対して示す前記第１のトークンのコピーを含む、ステップと、
前記第２のコマンドの受信に伴い、前記ディスプレイが後続の覚醒状態にあるときに前記第１のトークンの前記コピーが前記記憶されている第１のトークンと同一のものか確認し、前記記憶されているディスプレイ設定を用いて前記ディスプレイが前記第２のビデオ信号を適正に表示し得ることを示す、ステップと、
前記記憶されているディスプレイ設定を実際のディスプレイ設定として復元するステップであって、該復元は、前記ディスプレイが完全な検出及び訂正ルーチンを実行することなしに前記記憶されているディスプレイ設定を用いて前記第２のビデオ信号の表示を開始し得るように、前記ビデオプロセッサと前記レジスタを、前記ディスプレイが前記後続の覚醒状態にあるときに、前記記憶されているディスプレイ設定に従って構成することによりなされる、ステップと、
を含む方法。
【請求項１０】
請求項９に記載の方法において、前記ディスプレイ設定を記憶するステップは、該ディスプレイ設定のうちの少なくとも幾つかを前記ディスプレイのメモリ内に保持するステップを含む、方法。
【請求項１１】
請求項９に記載の方法において、前記ディスプレイ設定を記憶するステップは、該ディスプレイ設定のうちの少なくとも幾つかを前記ホストコンピュータシステムのメモリ内に保持するステップを含む、方法。
【請求項１２】
請求項９に記載の方法において、複数のディスプレイ設定のセットが記憶され、さらに、前記第１のトークンのコピーに基づいて、前記複数のセットの中から前記ディスプレイ設定の対応するセットを発見するステップを含む、方法。
【請求項１３】
ホストコンピュータ及びディスプレイを有するコンピューティング環境におけるシステムであって、該システムは、
プロセッサと、
前記プロセッサにより実行される場合にディスプレイを迅速に初期化するための以下のステップを実施する命令を記憶するメモリとを備え、該ステップは、
最新のディスプレイ設定をディスプレイが記憶すべきことを指示する第１のコマンドを該ディスプレイに送信するステップであって、前記第１のコマンドは第１のトークンを含み、前記第１のコマンドは、ディスプレイが取り付けられるホストコンピュータシステムであって、そこからディスプレイが第１のビデオ信号を受信しているホストコンピュータシステムにより送信され、前記第１のコマンドは、前記ホストコンピュータシステムがスリープ状態に入ろうとしていることを示すものであり、前記ディスプレイは、前記最新のディスプレイ設定に従って前記第１のビデオ信号を表示するように構成されたビデオプロセッサとレジスタ群を含むものであり、前記第１のトークンは、前記ホストコンピュータシステムによって生成される、前記第１のビデオ信号の特性を表す値である、ステップと、
前記第１のコマンドに応答して、前記ディスプレイがスリープ状態に入る前に前記第１のトークンとともに前記最新のディスプレイ設定を記憶するステップであって、前記最新のディスプレイ設定及び前記第１のトークンが記憶された後で、前記ホストコンピュータシステムおよび前記ディスプレイがスリープ状態に入るようにされている、ステップと、
前記スリープ状態からの覚醒に伴い、前記第１のビデオ信号と同じ特性を持つ第２のビデオ信号を前記ホストコンピュータシステムが送信しようとしていることを、前記ホストコンピュータシステムが検出するステップと、
前記ホストコンピュータシステムが第２のコマンドをディスプレイに送信するステップであって、前記第２のコマンドは、前記第１のビデオ信号と同じ特性を持つ第２のビデオ信号を前記ホストコンピュータが送信しようとしていることを前記ディスプレイに対して示す前記第１のトークンのコピーを含む、ステップと、
前記第２のコマンドの受信に伴い、前記ディスプレイが後続の覚醒状態にあるときに前記第１のトークンの前記コピーが前記記憶されている第１のトークンと同一のものか確認し、前記記憶されているディスプレイ設定を用いて前記ディスプレイが前記第２のビデオ信号を適正に表示し得ることを示す、ステップと、
前記記憶されているディスプレイ設定を実際のディスプレイ設定として復元するステップであって、該復元は、前記ディスプレイが完全な検出及び訂正ルーチンを実行することなしに前記記憶されているディスプレイ設定を用いて前記第２のビデオ信号の表示を開始し得るように、前記ビデオプロセッサと前記レジスタを、前記ディスプレイが前記後続の覚醒状態にあるときに、前記記憶されているディスプレイ設定に従って構成することによりなされる、ステップと、
を含む、システム。
【請求項１４】
請求項１３に記載のシステムにおいて、前記メモリの少なくとも一部はディスプレイメモリを含み、前記最新のディスプレイ設定は前記ディスプレイメモリに記憶される、システム。
【請求項１５】
請求項１３に記載のシステムにおいて、前記第１のトークンと前記第１のトークンの前記コピーは、制御チャネルを通して前記ホストコンピュータと前記ディスプレイとの間で通信される、システム。
【請求項１６】
請求項１５に記載のシステムにおいて、前記ディスプレイが受取通知で応答するか又は所定期間が満了するまで、前記ホストコンピュータは、前記所定期間中に前記制御チャネルを介して前記第１のトークンを繰り返し送信する、システム。